(57)【特許請求の範囲】
【請求項１】
試着室に持ち込まれる商品に取り付けられた商品タグ内に格納されている商品固有の識別情報を検知する手段と、前記試着室内の客の存在を検出する手段と、前記試着室内に客が存在しないことが検出され、かつ前記商品タグの識別情報が検知されたとき、報知又は警告を行う手段とを備えたことを特徴とする盗難防止装置。
【請求項２】
試着室に持ち込まれる商品に取り付けられた商品タグ内に格納されている商品固有の識別情報を検知する手段と、前記試着室内の客の存在を検出する手段と、前記試着室内に客が存在しないことが検出され、かつ前記商品タグの識別情報が検知され、さらに、その状態が所定時間、又は所定検出回数連続したとき、報知又は警告を行う手段とを備えたことを特徴とする盗難防止装置。
【請求項３】
試着室に持ち込まれる商品に取り付けられた商品タグ内に格納されている商品固有の識別情報を検知する手段と、試着室内の客の存在を検出する手段と、試着室前の客の存在を検出する手段と、試着室内に客が存在しないことが検出され、かつ前記商品タグの識別情報が検知され、さらに、試着室前に客が存在しないことが検出されたとき、報知又は警告を行う手段とを備えたことを特徴とする盗難防止装置。
【請求項４】
試着室内の客の存在を検出する試着室内人物検知センサと、前記試着室に持ち込まれる商品に取り付けられ、質問信号の電波を受信すると予め設定された商品固有の識別情報で変調された応答電波を放射する商品タグに対し、質問信号の電波を送信し、前記商品タグから返送された応答電波を受信して、前記商品タグの商品固有の識別情報を検出し、その検出した商品タグからの識別情報及び前記試着室内人物検知センサからの情報に基づいて、客が商品又は商品に取り付けられた商品タグを残して試着室を退出したとき、報知又は警告を行う質問器とを備えたことを特徴とする盗難防止機能を備えた試着室。
【請求項５】
前記質問器は、さらに、前記報知又は警告を行う際、所定時間、又は所定検出回数のウエイトを入れたのち、報知又は警告を行うことを特徴とする請求項４記載の盗難防止機能を備えた試着室。
【請求項６】
試着室内の客の存在を検出する試着室内人物検知センサと、
前記試着室前の客の存在を検出する試着室前人物検知センサと、
前記試着室に持ち込まれる商品に取り付けられ、質問信号の電波を受信すると予め設定された商品固有の識別情報で変調された応答電波を放射する商品タグに対し、質問信号の電波を送信し、前記商品タグから返送された応答電波を受信して、前記商品タグの商品固有の識別情報を検出し、その検出した商品タグからの識別情報、前記試着室内人物検知センサからの情報及び前記試着室前人物検知センサからの情報に基づいて、客が商品又は商品に取り付けられた商品タグを残して試着室を退出し、さらに試着室前にも存在していないとき、報知又は警告を行う質問器とを備えたことを特徴とする盗難防止機能を備えた試着室。
【発明の詳細な説明】
【０００１】
【発明の属する技術分野】
本発明は、試着室内に持ち込まれた商品の盗難を防止する盗難防止装置及び盗難防止機能を備えた試着室に関するものである。
【０００２】
【従来の技術】
図６は、従来の試着室の構成を示す構成図である。
図において、５１は試着室、５２は試着室５１の入口に取り付けられたカーテン、５３は試着室５１を利用する客、５４は客５３により試着室５１に持ち込まれる商品、５５は商品に付けられた商品タグ、５６は鏡である。
【０００３】
ここで、試着室５１に入る客は、試着する商品５４を持って、入口のカーテン５２を開けて試着室４１に入り、持ち込んだ商品５４の試着をした後に試着室４１を出るようになっている。
また、従来の試着室の場合、特に盗難防止設備は設置されておらず、商品５４にはバーコード等がついた商品タグ５５が付けられているのが普通であるが、特にそれを用いた盗難防止システムは設置されていないものであった。
また、従来では、複数の商品５４の試着を試着室５１で行う場合は、盗難防止のため、複数の商品５４の持ち込みを禁止したり、複数の商品５４の持ち込みをすることを店員に事前に断ってから試着室５１に入るようにすることが多かった。
【０００４】
【発明が解決しようとする課題】
しかしながら、従来の試着室では、複数の商品５４を持ち込んで、試着した後に商品５４を試着室内に置き忘れても、客に対する報知は行われず、また、複数の商品５４を持ち込んで、商品タグ５５を試着室内に放置し、持ち込んだ商品５４を数点又はすべて身につけて試着室５１を出るということが可能であり、この種の万引きに対して防ぐ手だてはなかった。
【０００５】
【課題を解決するための手段】
本発明に係る盗難防止装置は、試着室に持ち込まれる商品に取り付けられた商品タグ内に格納されている商品固有の識別情報を検知する手段と、試着室内の客の存在を検出する手段と、試着室内に客が存在しないことが検出され、かつ商品タグの識別情報が検知されたとき、報知又は警告を行う手段とを備えたものである。
【０００６】
また、本発明に係る盗難防止機能を備えた試着室は、試着室内の客の存在を検出する試着室内人物検知センサと、試着室に持ち込まれる商品に取り付けられ、質問信号の電波を受信すると予め設定された商品固有の識別情報で変調された応答電波を放射する商品タグに対し、質問信号の電波を送信し、商品タグから返送された応答電波を受信して、商品タグの商品固有の識別情報を検出し、その検出した商品タグからの識別情報及び試着室内人物検知センサからの情報に基づいて、客が商品又は商品に取り付けられた商品タグを残して試着室を退出したとき、報知又は警告を行う質問器とを備えたものである。
【０００７】
【発明の実施の形態】
実施の形態１．
図１は本発明の実施の形態１の試着室の構成を示す図である。
図において、１１は試着室、１２は試着室１１の入口に取り付けられたカーテン、１３は更衣室を利用する客、１４は盗難防止装置である質問器、１５は客１３により試着室１１に持ち込まれる商品、１６は商品に付けられた（電子）タグであり、タグ１６には、商品情報が保持されている。１７は試着室１１の外側又は内側に設置され、質問器１４が検知したタグ１６に関する表示を行い、万引きの可能性がある時には警告を発する持ち込み商品外部表示装置、１８は試着室内に客１３がいるかどうかを検知する試着室内人物検知センサであり、例えば超音波センサなどである。１９は鏡である。
【０００８】
次に、この実施の形態で使用されるタグ１６及び持ち込み商品外部表示装置１７について説明する。
図２はタグ１６の構造の一例を示す断面図、図３は持ち込み商品外部表示装置１７の構成を示す図である。
図２において、２１は質問器１４から送信された質問信号の電波を受信するための受信アンテナ、２２は記憶情報を記憶し質問器１４からの電波を復調・解析し、記憶情報で変調した電波信号（以下、応答電波という）を出力する集積回路であり、集積回路２２に記憶されている記憶情報は、通常、タグ１６を唯一に識別できるような商品固有の識別情報となっている。
【０００９】
２３はタグ１６から質問器１４に対して応答電波を送信するための送信アンテナ、２４はタグの内部構成要素を格納する包装材基板、２５はタグ１６の内部構成要素を格納する包装材カバーである。
なお、タグ１６内の集積回路を動作させるための電源としては、質問器１４から送信された質問信号の電波を整流して直流電圧を生成してタグ１６内部の電源をして使用するようになっている。
図３において、３１は表示内容を計算する表示制御部、３２は表示を行う表示パネル、３３は警告用スピーカである。
【００１０】
次に、この実施の形態の動作について説明する。
まず、タグ１６内部の記憶情報の認識動作について説明する。
質問器１４からはタグ１６に対して、質問に用いる電波が発せられ、タグ１６の受信アンテナ２１はこの電波を受信して、集積回路２２に伝達する。そして、集積回路２２は質問器１４からの電波を復調・解析して、応答電波を送信アンテナ２３に出力し、送信アンテナ２３は応答電波を送出する。そして、タグ１６の送信アンテナ２３から送出された応答電波は質問器１６で受信・復調・解析されて、タグ１６内部の記憶情報を認識する。
【００１１】
図４はこの実施の形態の動作を示すフローチャートである。
まず、試着室内人物検知センサ１８からの信号により客１３が試着室内にいるか否かを判断する（Ｓ１００）。
Ｓ１００で客１３が試着室１１内にいると判断されれば、商品１５の検知を行う（Ｓ１０１）。すなわち、質問器１４はタグ１６に対して電波を発し、タグ１６が受信してタグ１６内部の記憶情報を質問器１４に返信することによって商品１５の検知が行われる。そして、Ｓ１０１で検知された商品１５のタグ情報は持ち込み商品表示装置１７の表示制御部３１に送られる。
【００１２】
そして、表示制御部３１は、検知された商品１５の総数を計算し（Ｓ１０２）、そして、計算した総数を表示パネル３２に表示する（Ｓ１０３）。図３に示した例では商品数が２点である。
そして、持ち込まれた商品の角度や電波状況により未検知の商品１５がある場合があるので、この後、客１３が試着室１１を退出するまで、Ｓ１００〜Ｓ１０３を繰り返す。
【００１３】
また、客１３が試着を済ませて試着室１１を退出すると、Ｓ１００で客１３が試着室１１内にいないと判断され、検知した商品１５の総数をゼロクリアし（Ｓ１０４）、客１３が試着を済ませて試着室１１を出た後に、試着室１１内に商品１５又は商品１５に付けられたタグ１６が存在するか否かを確認するために、商品１５の検知を行う（Ｓ１０５）。すなわち、質問器１４はタグ１６に対して電波を発し、タグ１６が受信してタグ１６内部の記憶情報を質問器１４に返信することによって商品１５の検知が行われる。
【００１４】
そして、Ｓ１０５での商品１５の検知の結果、検知した商品１５があるか否かを判断し（Ｓ１０６）、Ｓ１０６で検知した商品１５がないと判断されれば、通常の通り客１３が商品１５を持って、試着室１１から退出した場合であり、警告などは行わずに、Ｓ１００に戻る。
【００１５】
また、Ｓ１０６で検知した商品１５があると判断されれば、客１３が、試着室１１内に商品１５を置き忘れたか、又は商品１５に付けられたタグ１６が外されてタグ１６のみが試着室１１内に残され、商品１５が持ち去られた可能性が高い場合であり、この場合は、警告用スピーカ３３から「試着室内にお忘れの商品がございます」等の、警告メッセージを流し、同時に、表示パネル３２に表示されている点数を点滅させ（Ｓ１０７）、Ｓ１００に戻る。
【００１６】
この実施の形態では、試着室１１内に客１３が商品１５又は商品１５に付けられたタグ１６を残した場合、その警告が持ち込み商品表示装置１７により出されるので、以下のことが可能となる。
１．客１３が試着室１１を退出するときに、商品１５をいくつか試着室内に忘れた場合、それを客１３に知らせることができる。これにより、試着室１１への商品１５の置き忘れを防止することができる。
２．客１３が万引きのためにタグ１６を商品１５から外して、試着室内に捨てていった場合、試着室１１の退出時に客１３に警告を与えることができる。
３．万引きを直接指摘せずに、警告のみ与えるので、万引きを意図していない客１３の不快感を低減することができる。
【００１７】
実施の形態２．
この実施の形態は、実施の形態１において、客１３が試着室１１を退出したと判断された後の動作で、所定回数続いて試着室１１内の商品１５が検出されたときに警告を行うようにしたものであり、この実施の形態の構成は実施の形態１と同様である。
【００１８】
次に、この実施の形態の動作について説明する。
図５はこの実施の形態の動作を示すフローチャートである。
まず、警告を行う判断のためのカウンタ値Ｉをゼロクリアし（Ｓ１１０）、試着室内人物検知センサ１８からの信号により客１３が試着室内にいるか否かを判断する（Ｓ１１１）。
Ｓ１１１で客１３が試着室１１内にいると判断されれば、商品１５の検知を行う（Ｓ１１２）。すなわち、質問器１４はタグ１６に対して電波を発し、タグ１６が受信してタグ１６内部の記憶情報を質問器１４に返信することによって商品１５の検知が行われる。そして、Ｓ１１２で検知された商品１５のタグ情報は持ち込み商品表示装置１７の表示制御部３１に送られる。
【００１９】
そして、表示制御部３１は、検知された商品１５の総数を計算し（Ｓ１１３）、そして、計算した総数を表示パネル３２に表示する（Ｓ１１４）。
そして、持ち込まれた商品の角度や電波状況により未検知の商品１５がある場合があるので、この後、客１３が試着室１１を退出するまで、Ｓ１１１〜Ｓ１１４を繰り返す。
【００２０】
また、客１３が試着を済ませて試着室１１を退出すると、Ｓ１１１で客１３が試着室１１内にいないと判断され、検知した商品１５の総数をゼロクリアし（Ｓ１１５）、客１３が試着を済ませて試着室１１を出た後に、試着室１１内に商品１５又は商品１５に付けられたタグ１６が存在するか否かを確認するために、商品１５の検知を行う（Ｓ１１６）。すなわち、質問器１４はタグ１６に対して電波を発し、タグ１６が受信してタグ１６内部の記憶情報を質問器１４に返信することによって商品１５の検知が行われる。
【００２１】
そして、Ｓ１１６での商品１５の検知の結果、検知した商品１５があるか否かを判断し（Ｓ１１７）、Ｓ１１７で検知した商品１５がないと判断されれば、通常の通り客１３が商品１５を持って、試着室１１から退出した場合であり、警告などは行わずに、カウンタ値Ｉをゼロクリアし（Ｓ１２２）、Ｓ１００に戻る。
【００２２】
また、Ｓ１１７で検知した商品１５があると判断されれば、カウンタ値Ｉがあらかじめ設定された所定回数（ここでは例えば３回）か否かを判断する（Ｓ１１８）。Ｓ１１８でカウンタ値Ｉが３回でないと判断されれば、カウンタ値Ｉを＋１し（Ｓ１１９）、ウエイトを入れるために、例えば５秒間待ってから（Ｓ１２０）、Ｓ１１１に戻る。
【００２３】
また、Ｓ１１８でカウンタ値Ｉが３回であると判断されれば、３回連続して、客１３が試着を済ませて試着室１１を出た後に、商品１５が検知され、ここでは、１５秒間のウエイトを終えていることになるので、客１３が、試着室１１内に商品１５を置き忘れたか、又は商品１５に付けられたタグ１６が外されてタグ１６のみが試着室１１内に残され、商品１５が持ち去られた可能性が高い場合であり、この場合は、警告用スピーカ３３から「試着室内にお忘れの商品がございます」等の、警告メッセージを流し、同時に、表示パネル３２に表示されている点数を点滅させ（Ｓ１２１）、Ｓ１１１に戻る。
【００２４】
この実施の形態では、客１３への警告を行う際に、所定回数及び所定のウエイトを置いた後に警告を行うようにしたので、誤った警告を行うことが少なくなり、以下のことが可能となる。
１．客１３が試着室１内にいるかどうかを判断する試着室内人物検知センサ１８が時々誤判断する場合でも、試着室内人物検知センサ１８の誤動作により客１３に対する警告を行ってしまうことがなくなり、時々誤判断する試着室内人物検知センサ１８でも利用することができる。
２．客１３が試着室１１を退出しようとしているときで、例えば、靴のひもを結んでいるときなどに警告を行ってしまうことがなくなり、万引きを意図していない客１３の気分を害してしまうことがなくなる。
３．客１３が商品１５を試着し、さらに、靴を履いて全体のバランスを考える場合、試着室１１のカーテンを開けて試着室１１外に出て靴を履き、試着室１１内の鏡１９を見るとき、その場合は複数持ち込んだ商品１５の残りは試着室１１内に残されていることが多いが、警告を行う際にウエイトが入れられているので、この場合に警告を行うことがなくなり、万引きを意図していない客１３の気分を害してしまうことがなくなる。
【００２５】
実施の形態３．
この実施の形態は、実施の形態１において、試着室１１の前に客１３がいるかどうかを検出する試着室前人物検知センサ４０を設け、客１３への警告を行う際に、試着室１１の前に客１３がいるか否かを判断してから警告を行うようにしたものである。
図６は本発明の実施の形態１の試着室の構成を示す図である。
図において、４０は試着室前人物検知センサであり、例えば超音波センサなどである。他の構成は実施の形態１と同様である。
【００２６】
次に、この実施の形態の動作について説明する。
図７はこの実施の形態の動作を示すフローチャートである。
まず、試着室内人物検知センサ１８からの信号により客１３が試着室内にいるか否かを判断する（Ｓ１３０）。
Ｓ１３０で客１３が試着室１１内にいると判断されれば、商品１５の検知を行う（Ｓ１３１）。すなわち、質問器１４はタグ１６に対して電波を発し、タグ１６が受信してタグ１６内部の記憶情報を質問器１４に返信することによって商品１５の検知が行われる。そして、Ｓ１３１で検知された商品１５のタグ情報は持ち込み商品表示装置１７の表示制御部３１に送られる。
【００２７】
そして、表示制御部３１は、検知された商品１５の総数を計算し（Ｓ１３２）、そして、計算した総数を表示パネル３２に表示する（Ｓ１３３）。
そして、持ち込まれた商品の角度や電波状況により未検知の商品１５がある場合があるので、この後、客１３が試着室１１を退出するまで、Ｓ１３０〜Ｓ１３３を繰り返す。
【００２８】
また、客１３が試着を済ませて試着室１１を退出すると、Ｓ１３０で客１３が試着室１１内にいないと判断され、検知した商品１５の総数をゼロクリアし（Ｓ１３４）、客１３が試着を済ませて試着室１１を出た後に、試着室１１内に商品１５又は商品１５に付けられたタグ１６が存在するか否かを確認するために、商品１５の検知を行う（Ｓ１３５）。すなわち、質問器１４はタグ１６に対して電波を発し、タグ１６が受信してタグ１６内部の記憶情報を質問器１４に返信することによって商品１５の検知が行われる。
【００２９】
そして、Ｓ１３５での商品１５の検知の結果、検知した商品１５があるか否かを判断し（Ｓ１３６）、Ｓ１３６で検知した商品１５がないと判断されれば、通常の通り客１３が商品１５を持って、試着室１１から退出した場合であり、警告などは行わずに、Ｓ１３０に戻る。
【００３０】
また、Ｓ１３６で検知した商品１５があると判断されれば、試着室前人物検知センサ４０からの信号により客１３が試着室１１の前にいるかを検知する（Ｓ１３７）。そして、Ｓ１３７での客１３の検知の結果、客１３が試着室１１の前にいるか否かを判断し（Ｓ１３８）、Ｓ１３８で客１３が試着室１１の前にいると判断されれば、Ｓ１３０に戻る。
【００３１】
また、Ｓ１３８で客１３が試着室１１の前にいないと判断されれば、客１３が、試着室１１内に商品１５を置き忘れたか、又は商品１５に付けられたタグ１６が外されてタグ１６のみが試着室１１内に残され、商品１５が持ち去られた可能性が高い場合であり、この場合は、警告用スピーカ３３から「試着室内にお忘れの商品がございます」等の、警告メッセージを流し、同時に、表示パネル３２に表示されている点数を点滅させ（Ｓ１３９）、Ｓ１３０に戻る。
【００３２】
この実施の形態では、客１３が試着室１１内に商品１５を残していても、試着室１１の前に客１３がいる場合は、警告を行わないようにしたので、以下のことが可能となる。
１．客１３が試着室１１を退出しようとしているときで、例えば、靴のひもを結んでいるときでも、客１３が試着室１１の前にいる限りは、警告を行ってしまうことがなくなり、万引きを意図していない客１３の気分を害してしまうことがなくなる。また、客１３が商品１５を試着し、さらに、靴を履いて全体のバランスを考える場合、試着室１１のカーテンを開けて試着室１１外に出て靴を履き、試着室１１内の鏡１９を見るとき、その場合は複数持ち込んだ商品１５の残りは試着室１１内に残されていることが多いが、客１３が試着室１１の前にいる限りは、警告を行ってしまうことがなくなり、万引きを意図していない客１３の気分を害してしまうことがなくなる。
【００３３】
なお、実施の形態１〜３では、タグ１６の電源として質問信号の電波を整流して得られる直流電圧を利用した例を示したが、タグ１６内に電池を内蔵して電源として利用するようにしてもよい。
また、実施の形態１〜３では、記憶情報の送受は、電波によっていたが、これに限らず、電磁誘導や赤外線を利用してもよい。
【００３４】
また、実施の形態１〜３では、検知した商品１５の総数の計算を持ち込み商品表示装置１７が行うようになっているが、質問器１４が行うようにしてもよい。また、実施の形態１〜３では、試着室内人物検知センサ１８又は試着室前人物検知センサ２０の超音波センサで客１３の在、不在を判断するようになっているが、客１３の在、不在を判断する方法として、カーテンの開閉を検知したり、光センサ、画像認識などの物体認識技術を用いるようにしてもよい。
【００３５】
また、実施の形態１〜３では、試着室１１の入り口にカーテン１２を設けているが、これをドアにしてもよい。
また、実施の形態１〜３では、警告用スピーカ３３から音声により警告を行うようにしているが、警告用スピーカ３３の代わりにランプを用いて、持ち込み商品表示装置１７上に警告表示するようにしてもよい。
【００３６】
【発明の効果】
以上のように、本発明によれば、試着室に持ち込まれる商品に取り付けられた商品タグ内に格納されている商品固有の識別情報を検知し、試着室内の客の存在を検出し、試着室内に客が存在しないことが検出され、かつ商品タグの識別情報が検知されたとき、報知又は警告を行うようにしたので、客が試着室を退出するときに、商品をいくつか試着室内に忘れた場合、それを客に知らせることができ、これにより、試着室への商品の置き忘れを防止することができ、また、客が万引きのためにタグを商品から外して、試着室内に捨てていった場合、試着室の退出時に客に警告を与えることができ、万引きを直接指摘せずに、報知又は警告のみ与えるので、万引きを意図していない客の不快感を低減することができるという効果を有する。
【００３７】
また、試着室内人物検知センサにより、試着室内の客の存在を検出し、質問器により、試着室に持ち込まれる商品に取り付けられ、質問信号の電波を受信すると予め設定された商品固有の識別情報で変調された応答電波を放射する商品タグに対し、質問信号の電波を送信し、商品タグから返送された応答電波を受信して、商品タグの商品固有の識別情報を検出し、その検出した商品タグからの識別情報及び試着室内人物検知センサからの情報に基づいて、客が商品又は商品に取り付けられた商品タグを残して試着室を退出したとき、報知又は警告を行うようにしたので、客が試着室を退出するときに、商品をいくつか試着室内に忘れた場合、それを客に知らせることができ、これにより、試着室への商品の置き忘れを防止することができ、また、客が万引きのためにタグを商品から外して、試着室内に捨てていった場合、試着室の退出時に客に警告を与えることができ、万引きを直接指摘せずに、報知又は警告のみ与えるので、万引きを意図していない客の不快感を低減することができるという効果を有する。
【図面の簡単な説明】
【図１】本発明の実施の形態１の試着室の構成を示す図である。
【図２】タグ１６の構造の一例を示す断面図である。
【図３】持ち込み商品外部表示装置１７の構成を示す図である。
【図４】実施の形態１の動作を示すフローチャートである。
【図５】実施の形態２の動作を示すフローチャートである。
【図６】本発明の実施の形態３の試着室の構成を示す図である。
【図７】実施の形態３の動作を示すフローチャートである。
【図８】従来の試着室の構成を示す構成図である。
【符号の説明】
１１  試着室
１２  カーテン
１３  客
１４  質問器（盗難防止装置）
１５  商品
１６  タグ
１７  持ち込み商品表示装置
１８  試着室内人物検知センサ
２１  受信アンテナ
２２  集積回路
２３  送信アンテナ
２４  包装材基板
２５  包装材カバー
３１  表示制御部
３２  表示パネル
３３  警告用スピーカ
４０  試着室前人物検知センサ
【図１】
0003799515.tif 000002
【図２】
0003799515.tif 000003
【図３】
0003799515.tif 000004
【図４】
0003799515.tif 000005
【図５】
0003799515.tif 000006
【図６】
0003799515.tif 000007
【図７】
0003799515.tif 000008
【図８】
0003799515.tif 000009